(57)【特許請求の範囲】
【請求項１】
基地局と移動端末とが、直接、あるいは、１つ以上の中継局を介して接続されている、無線マルチホップネットワークシステムにおける当該中継局であって、
所定の手順で前記基地局と前記移動端末との間に接続を確立するよう前記移動端末を誘導する経路誘導部と、
前記中継局の通信可能な前記移動端末と前記基地局との間の経路を構成する各リンクについて、当該リンクの属性情報であるリンク情報を、所定のタイミングで収集するリンク情報収集部と、
前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択部と、
を備え、
前記経路誘導部は、前記選択された経路に前記確立された接続を切り替えるよう、前記移動端末を誘導する、
ことを特徴とする中継局。
【請求項２】
前記中継局の前記経路選択部は、前記リンク情報と、予め設定された利用者の要望と、の少なくともいずれかに基づいて、前記基地局と前記移動端末とを結ぶ経路のうちから１つを選択する、
ことを特徴とする請求項１に記載の中継局。
【請求項３】
前記中継局の前記経路誘導部は、主導でハンドオーバを行うか、または、前記基地局または前記移動端末にハンドオーバを要求する、
ことを特徴とする請求項１または２に記載の中継局。
【請求項４】
前記経路選択部は、前記中継局がその時点で使用されている経路に含まれているか否かにかかわらず、前記基地局と前記移動端末とを結ぶ経路のうちから１つを選択し、
前記経路誘導部は、前記経路選択部が選択した経路に前記中継局が含まれているか否かにかかわらず、主導でハンドオーバを行うか、または、前記基地局または前記移動端末にハンドオーバを要求する、
ことを特徴とする請求項１乃至３の何れか１項に記載の中継局。
【請求項５】
請求項１乃至４の何れか１項に記載の中継局と、
経路誘導を行わない中継局と、
を共に備える無線マルチホップネットワークシステム。
【請求項６】
基地局と移動端末とが、直接、あるいは、１つ以上の中継局を介して接続されている、無線マルチホップネットワークシステムにおける当該中継局による経路誘導方法であって、
前記中継局は、経路誘導部と、リンク情報収集部と、経路選択部と、を備え、
前記経路誘導部が、所定の手順で前記基地局と前記移動端末との間に接続を確立するよう前記移動端末を誘導する経路誘導ステップと、
前記リンク情報収集部が、前記中継局の通信可能な前記移動端末と前記基地局との間の経路を構成する各リンクについて、当該リンクの属性情報であるリンク情報を、所定のタイミングで収集するリンク情報収集ステップと、
前記経路選択部が、前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択ステップと、
前記経路誘導部が、前記選択された経路に前記確立された接続を切り替えるよう、前記移動端末を誘導するステップと、
を備える、
ことを特徴とする経路誘導方法。
【請求項７】
基地局と移動端末とが、直接、あるいは、１つ以上の中継局を介して接続されている、無線マルチホップネットワークシステムにおける当該中継局として、コンピュータを機能させるプログラムであって、
前記コンピュータを、
前記移動端末からの要求に応じて、前記基地局と前記移動端末との間に接続を確立するよう前記移動端末を誘導する経路誘導部と、
前記中継局の通信可能な前記移動端末と前記基地局との間の経路を構成する各リンクについて、当該リンクの属性情報であるリンク情報を、所定のタイミングで収集するリンク情報収集部と、
前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択部と、
して機能させ、
前記経路誘導部は、前記選択された経路に前記確立された接続を切り替えるよう、前記移動端末を誘導する、
ことを特徴とするプログラム。
【発明の詳細な説明】
【技術分野】
【０００１】
本発明は、無線マルチホップ通信システムにおける中継局、経路誘導方法、およびプログラムに関する。
【背景技術】
【０００２】
モバイルＷｉＭＡＸとは，「ＷｉＭＡＸ（Worldwide Interoperability for Microwave Access）」と呼ばれる無線通信の規格を移動通信に適用する技術である。現在、このモバイルＷｉＭＡＸにおいて、マルチホップリレー（ＭＭＲ：Mobile Multihop Relay）を実現するための標準化（ＩＥＥＥ８０２．１６ｊ）が進められている。
【０００３】
ＷｉＭＡＸで使用される周波数帯域は直進性が高いため、より多くの情報量を送信できる一方、障害物を回り込みにくく、伝達範囲（カバレッジ）も狭い。マルチホップリレーは、この問題を解決するために、基地局よりも安価に実現可能な中継局（ＲＳ：Relay Station）を移動端末（ＭＳ：Mobile Station）と基地局（ＢＳ：Base Station）との間に設置し、中継局を経由して、基地局と移動端末とを相互接続する通信方式である。
【０００４】
ＩＥＥＥ８０２．１６ｊにおいては、固定中継局の他に、ノマディック（nomadic：非定住型）中継局、およびモバイル中継局の利用がサポートされている。これにより、災害時やイベント開催時などに、ノマディック中継局を設置して一時的にカバレッジを拡大したり、電車や自動車などにモバイル中継局を搭載することが可能となる。典型的には、事業者が固定中継局を、そして、利用者がノマディック中継局を所有することが想定される。
【０００５】
このような無線マルチホップネットワークにおいては、複数の中継経路が存在する。図１に典型的な無線マルチホップネットワークの例を示して説明する。
【０００６】
図１では、１つの基地局が受け持つ範囲内であるセルの構成を示す。セルは、１つの基地局１に対して、中継局２−１と２−２、および、移動端末３−１から３−３、により構成される。特に区別する必要がない場合、適宜単に、中継局２、および、移動端末３と記載する。なお、中継局２と移動端末３の数はそれぞれ２台と３台ずつ記載されているが、数はこれに限らない。
【０００７】
基地局１と中継局２、および、中継局２同士は、無線または有線で接続され、移動端末３は、基地局１、および、中継局２と、無線により接続される。さらに、基地局１は、典型的には有線のネットワークを介して図示しない他の基地局１と接続される。
【０００８】
図１に示す例の場合、例えば、移動端末３−１と基地局１の間の通信経路としては、以下が考えられる。
１）端末３−１⇔中継局２−１⇔基地局１
２）端末３−１⇔中継局２−１⇔中継局２−２⇔基地局１
或いは、移動端末３−１が、中継局間の境界にいるために、中継局２−２とも通信可能であれば（点線に示すリンク）、
３）移動端末３−１⇔中継局２−２⇔基地局１
という経路も考えられる。当然ながら、各移動端末が、直接基地局と通信する経路も考えられる。
【０００９】
特許文献１に開示される移動端末は、このようなマルチホップ中継方式を使用するセルラー通信システムにおいて、セルの負荷量の調整や、中継局の再配置を行うために、サービング局（移動端末と接続している基地局、または、中継局）からの要請を受けて、候補ノードへとハンドオーバを行う。ここで、候補ノードとは、隣接セルの基地局、隣接セルの中継局、サービング基地局、及びサービングセルの隣接中継局を含む。端末機は、スキャニングにより獲得した受信強度などにより、候補ノードのいずれかにハンドオーバするかを決定する。
【先行技術文献】
【特許文献】
【００１０】
【特許文献１】特開２００７−１１６６９７号公報
【発明の概要】
【発明が解決しようとする課題】
【００１１】
しかしながら、特許文献１では、移動端末が、候補ノードのいずれかにハンドオーバするものの、総合的な通信経路の状態を考慮して、経路全体を切り替えることは行わない。例えば、候補ノードが中継局であり、当該中継局からの受信強度が高い場合、当該中継局へとハンドオーバが行われる。しかし、当該中継局が接続される基地局との伝送レートが低いために、経路全体としては通信品質が低い場合がある。
【００１２】
また、特許文献１は、セルの負荷量の調整や中継局の再配置のために、中継局のハンドオーバ処理を行うが、通信品質の維持については考慮していない。基地局と移動端末との間の通信経路の総合的な状態を考慮して、接続が確立された後も基地局と移動端末との接続の品質を維持する技術が求められている。
【００１３】
本発明はこのような状況に鑑みてなされたものであり、無線マルチホップネットワークにおいて、基地局と移動端末との間の接続の品質を維持するのに好適な、中継局、経路誘導方法、およびプログラムを提供することを目的とする。
【課題を解決するための手段】
【００１４】
上記目的を達成するため、本発明の第１の観点に係る中継局は、
基地局と移動端末とが、直接、あるいは、１つ以上の中継局を介して接続されている、無線マルチホップネットワークシステムにおける当該中継局であって、
所定の手順で前記基地局と前記移動端末との間に接続を確立するよう前記移動端末を誘導する経路誘導部と、
前記中継局の通信可能な前記移動端末と前記基地局との間の経路を構成する各リンクについて、当該リンクの属性情報であるリンク情報を、所定のタイミングで収集するリンク情報収集部と、
前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択部と、
を備え、
前記経路誘導部は、前記選択された経路に前記確立された接続を切り替えるよう、前記移動端末を誘導する、
ことを特徴とする。
【００１５】
また、本発明の第２の観点に係る経路誘導方法は、
基地局と移動端末とが、直接、あるいは、１つ以上の中継局を介して接続されている、無線マルチホップネットワークシステムにおける当該中継局による経路誘導方法であって、
前記中継局は、経路誘導部と、リンク情報収集部と、経路選択部と、を備え、
前記経路誘導部が、所定の手順で前記基地局と前記移動端末との間に接続を確立するよう前記移動端末を誘導する経路誘導ステップと、
前記リンク情報収集部が、前記中継局の通信可能な前記移動端末と前記基地局との間の経路を構成する各リンクについて、当該リンクの属性情報であるリンク情報を、所定のタイミングで収集するリンク情報収集ステップと、
前記経路選択部が、前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択ステップと、
前記経路誘導部が、前記選択された経路に前記確立された接続を切り替えるよう、前記移動端末を誘導するステップと、
を備える、
ことを特徴とする。
【００１６】
また、本発明の第３の観点に係るプログラムは、
基地局と移動端末とが、直接、あるいは、１つ以上の中継局を介して接続されている、無線マルチホップネットワークシステムにおける当該中継局として、コンピュータを機能させるプログラムであって、
前記コンピュータを、
前記移動端末からの要求に応じて、前記基地局と前記移動端末との間に接続を確立するよう前記移動端末を誘導する経路誘導部と、
前記中継局の通信可能な前記移動端末と前記基地局との間の経路を構成する各リンクについて、当該リンクの属性情報であるリンク情報を、所定のタイミングで収集するリンク情報収集部と、
前記収集されたリンク情報が、接続が確立された時点で収集されたリンク情報と異なる場合、前記収集されたリンク情報に基づいて、前記基地局と前記移動端末とを結ぶ経路のうちから１つを選択する経路選択部と、
して機能させ、
前記経路誘導部は、前記選択された経路に前記確立された接続を切り替えるよう、前記移動端末を誘導する、
ことを特徴とする。
【発明の効果】
【００１７】
本発明によれば、無線マルチホップネットワークにおいて、基地局と移動端末との間の接続の品質を維持するのに好適な中継局等を提供することが可能となる。
【図面の簡単な説明】
【００１８】
【図１】一般的な無線マルチホップネットワークシステムの構成例を示すブロック図である。
【図２】本実施の形態に係る無線マルチホップネットワークシステムの構成例を示すブロック図である。
【図３】本実施の形態に係る経路誘導型中継局の構成例を示すブロック図である。
【図４】リンク情報データベースのテーブル構成例を示す図である。
【図５】本実施の形態に係る移動端末と基地局との間の接続処理の流れを示すフロー図である。
【図６】無線端末と基地局との間の経路を示す図である。
【図７】本実施の形態に係る経路誘導型中継局による最適な経路へのハンドオーバ処理の流れを示すフロー図である。
【図８】リンク情報の状態の変化を示す図である。
【図９】本実施の形態の変形例に係るポリシ情報データベースのテーブル構成例を示す図である。
【発明を実施するための形態】
【００１９】
以下、本発明の実施の形態について図面を参照して詳細に説明する。
本実施の形態に係る無線マルチホップネットワークシステムを図２に示す。図１に示した一般的な無線マルチホップネットワークシステムと比較すると、本システムは、経路誘導型中継局１２（図２では１台のみ示すが、数はこれに限定されない）が中継局２−１と入れ替わった構成となっている。
【００２０】
経路誘導型中継局１２は、基地局１と移動端末３−１〜３−３の間で無線マルチホップ通信を行うだけでなく、ハンドオーバ、即ち、移動端末が接続する中継局の切り替えを行って、移動端末３−１〜３−３を適した経路に誘導する。以下、図３を参照して、経路誘導型中継局１２の構成要素について説明する。
【００２１】
図３に示すように、経路誘導型中継局１２は、リンク情報収集部２１、経路選択部２２、および経路誘導部２３、および、リンク情報データベース２４等を備える。
【００２２】
リンク情報収集部２１は、経路誘導型中継局１２と通信可能な移動端末３のうち、基地局１と接続が確立されているものについて、当該移動端末３と基地局１との間の各通信経路を構成するリンクのリンク情報を収集する。例えば、図２の例では、経路誘導型中継局１２のリンク情報収集部２１は、移動端末３−１および３−２のうち、基地局１と接続が確立されているものについてリンク情報を収集する。ここで、リンク情報とは、例えば、受信強度、ＢＥＲ（Bit Error Rate）、伝送レート、通信トラヒック量等の少なくともいずれかである。
【００２３】
リンク情報収集部２１は、経路誘導型中継局１２に隣接するリンクについては、自ら監視して、リンク情報を収集する。一方、経路誘導型中継局１２が隣接していないリンクについては、当該リンクに隣接するノード、即ち、基地局１、中継局２、他の経路誘導型中継局１２、および移動端末３、のそれぞれに対して、そのノードに隣接するリンクの情報を返信するよう要求する。他のノードは、要求に応答して、リンク情報をリンク情報収集部２１に返信する。
【００２４】
なお、リンク情報収集部２１はリンク情報の収集を、例えば、経路誘導型中継局１２と通信可能な移動端末３が基地局１と接続を確立した時点以降、所定の時間間隔で行う。
【００２５】
リンク情報データベース２４は、移動端末３と基地局１との間の接続経路が確定した際に、その時点での、当該移動端末３と基地局１との間に存在する各経路のリンク情報を記憶する。リンク情報は、上述したように、リンク情報収集部２１によって収集される。図４に示すように、リンク情報データベース２４は、経路誘導型中継局１２と通信可能な移動端末３のうち、基地局１と接続が確立されたものについて、当該移動端末３と、基地局１との間の各経路を構成する各リンクの識別情報と、各リンクに対応する上りと下りのリンク情報を有する１または複数のレコードから構成されるテーブルを記憶する。
【００２６】
ここで、上りのリンク情報は移動端末３から基地局１にデータを送信するときのリンク情報であり、下りのリンク情報は基地局１から移動端末３にデータが送信されるときのリンク情報である。例では、上りのリンク情報と下りのリンク情報はそれぞれ個別に格納され管理されるが、上りまたは下りのリンク情報を他方に用いても構わない。即ち、上りのリンク情報を下りのリンク情報として用いても良いし、下りのリンク情報を上りのリンク情報として用いても良い。
【００２７】
経路選択部２２は、基地局１と移動端末３との間に接続が確立されている場合、リンク情報データベース２４に記憶される当該接続が確立された時点でのリンク情報と、収集されたリンク情報との間に状態の変化があると、当該収集されたリンク情報に基づいて、基地局１と移動端末３との間の経路の中から移動端末３に適した経路を選択する。例えば、リンク情報として伝送レートを用いる場合、最高の伝送レートを実現する最小ホップ数の経路を、最も適した経路であるとして選択する。適した経路が複数ある場合は、そのうちのいずれかを選択すればよい。選択された経路は、上りと下りとで同一であっても、異なっていてもよい。
【００２８】
なお、経路選択部２２は、例えば、移動端末３が、経路誘導中継局１２の通信可能なエリア内、或いはエリア外に移動したときに、当該移動端末３と基地局１との間に存在する経路のそれぞれを把握するための処理を行う。例えば、セル内の各ノードは、所定のタイミングでブロードキャストを行って、通信可能な相手についての情報を互いにやり取りし、経路選択部２２は、当該情報を収集して、基地局１と移動端末３との間の経路構成を把握する。当該経路構成の情報は、リンク情報収集部２１がリンク情報を収集する際にも利用される。
【００２９】
経路誘導部２３は、移動端末３からの発呼などの要求に応じて、所定の手順で基地局１と移動端末３との間に接続を確立するよう移動端末３を誘導する。また、基地局１と移動端末３との間に接続が確立された以降は、経路選択定部２２によって選択された最適な経路に確立された接続を切り替えるように移動端末３を誘導する。
【００３０】
次に、本実施の形態に係る経路誘導型中継局１２の動作処理を説明する。
【００３１】
（接続の確立）
まず、移動端末３が、例えば、他の移動端末３に対して呼び出しを行う（発呼する）と、移動端末３と基地局１との間に接続処理が開始される。接続処理のフローを、図５を参照して説明する。
【００３２】
接続処理において、移動端末３は、まず、定義された周波数のうちのチャネルをスキャンして、自分の属するセルを構成するノード（経路誘導型中継１２、中継局２、または基地局１）のうち、いずれか最も強い受信強度で通信できるものを選択する（ステップＳ１０１）。そして、選択したノードとの間で接続処理を行う（選択したノードが経路誘導型中継局１２、または、中継局２であれば、ステップＳ１０２ａ、基地局１であれば、Ｓ１０２ｂ）。ここで、接続処理とは、例えば、レンジングやパラメータのネゴシエーションなどを含む。
【００３３】
移動端末３と接続処理を行ったノード（基地局１以外）は、同じように自分に隣接するリンクのうち最も強い受信強度で通信できるノードを選択して（ステップＳ１０４）、当該ノードと接続処理を行う（選択したノードが基地局１であればＳ１０５ａ、経路誘導型中継局１２、または、中継局２であれば、ステップＳ１０５ｂ）。ここで、経路誘導型中継局１２において、接続処理を行うのは、経路誘導部２３である。なお、ステップＳ１０３の処理は、経路誘導型中継局１２、または、中継局２が、他の経路誘導型中継局１２、または、中継局２から選択されて、接続処理を行う場合の処理を示す。
【００３４】
接続が基地局１まで確立されると、基地局１は、呼出先（着信側）の移動端末３（図示せず）の位置するエリアを担当する基地局（即ち、サービング基地局。図示せず。）と所定の処理を行って、呼出先移動端末３までの接続を確立する（ステップＳ１０６）。これにより、発呼側と着信側の移動端末３同士が通信可能となるが、本実施の形態においては、移動端末３から基地局１までの接続についてのみ取り挙げる。
【００３５】
ここで、上記の処理を、図２に示す構成と同様の構成を備える、図６に示す無線マルチホップネットワークシステムを用いて説明する。ただし、理解を容易にするために、移動端末３のうち、３−１のみを示す。
【００３６】
例えば、図６において、経路誘導型中継局１２からの信号の受信強度が中継局２−２と比較して強い場合、移動端末３−１は、まず、リンク３を選択し、経路誘導型中継局１２と接続を確立すべく、経路誘導型中継局１２に接続要求を転送する。同様にして、経路誘導型中継１２は、基地局１からの受信強度が中継局２−２よりも強いと判定すると、リンク４を選択して、基地局１に接続要求を転送する。
【００３７】
図６では、実線は接続済みのリンクを、点線はそれ以外のリンクを示している。即ち、リンク３とリンク４から構成される経路１が接続されている。なお、呼出処理の場合は、基地局１から移動端末３−１まで、逆の手順で接続先のノードを選択して接続を確立すればよい。また、接続の確立のための経路の選択基準としては、受信強度以外を用いてもよいし、経路の選択方法も上記に限るものではない。
【００３８】
図５に戻り、着信側の移動端末３との接続の確立に成功した場合、着信側の移動端末３のサービング基地局から応答が発呼側の移動端末３に到達する。これに対して、発呼側の移動端末３は、自分の通信可能な経路誘導型中継局１２が、接続経路に含まれていない場合を考慮して当該経路誘導型中継局１２に、接続が確立された旨を通知する。経路誘導型中継局１２のリンク情報収集部２１は、通知を受け取ると、その時点の発呼側の移動端末３と基地局１との間に存在する各経路を構成するリンク（接続済みのリンクも含む）について、リンク情報を収集して、リンク情報データベース２４に記憶する（ステップＳ１０７）。
【００３９】
リンク情報収集部２１は、当該経路を構成するリンクのうち、経路誘導型中継局１２に隣接するリンクについては、自ら監視して、リンク情報を収集する。一方、当該リンクのうち、経路誘導型中継局１２が隣接していないリンクについては、当該リンクに隣接するノード、即ち、基地局１、中継局２、他の経路誘導型中継局１２、および移動端末３、のそれぞれに対して、そのノードに隣接するリンクの情報を返信するよう要求して、当該各ノードからリンク情報を受信する。収集したリンク情報は、リンク情報データベース２４に記憶する。
【００４０】
例えば、図６においては、移動端末３−１について、リンク１〜リンク５のリンク情報が収集される。リンク情報収集部２１は、移動端末３−１と基地局１との間のリンク情報を収集する際、リンク２についてのリンク情報は、中継局２−２、または、移動端末３−１から行うが、その他のリンクについては隣接しているため自ら収集する。
【００４１】
（最適な経路へのハンドオーバ処理）
次に、接続が確立された後に、最適な経路にハンドオーバするための、経路移動型中継局１２の処理について、図７のフロー図を参照して説明する。
【００４２】
まず、所定の時間が経過すると（ステップＳ２０１；ＹＥＳ）リンク情報収集部２１が、接続が確立されている移動端末３のそれぞれと基地局１との間に存在する各経路を構成するリンクのリンク情報を収集する（ステップＳ２０２）。所定の時間が経過しない間（ステップＳ２０１；ＮＯ）は、ステップＳ２０１の処理を繰り返して待つ。即ち、リンク情報の収集は、定期的に行われる。ステップＳ２０２の処理において、リンク情報を収集する手順は、上記のステップＳ１０７の処理で説明した手順と同様である。
【００４３】
次いで、経路選択部２２は、リンク情報データベース２４に記憶されているリンク情報と、収集したリンク情報とを比較する（ステップＳ２０３）。リンク情報に変化がなければ（ステップＳ２０３；ＮＯ）、処理を終了する。一方、リンク情報に変化があった場合（ステップＳ２０３；ＹＥＳ）、経路選択部２２は、収集したリンク情報に基づいて、移動端末３−１に適した経路を選択する（ステップＳ２０４）。
【００４４】
例えば、上記ステップＳ１０７の処理の実行により、移動端末３−１と基地局１との間のリンクのリンク情報として、リンク情報データベース２４に、図８（Ａ）に示すようなリンク情報テーブルが記憶されている。また、上記ステップＳ２０２の処理の実行により、移動端末３−１と基地局１との間のリンクについて、図８（Ｂ）に示すリンク情報が収集されている。なお、図８（Ａ）および図８（Ｂ）では、リンク情報として伝送レートを用いている。
【００４５】
図８（Ａ）と図８（Ｂ）とを比較すると、電波状況の劣化等の理由によりリンク４の状態が変化している。経路誘導型中継局１２の経路選択部２２は、ステップＳ２０２の処理において収集されたリンク情報に基づいて、移動端末３−１に適した最高の伝送レートを実現する最小ホップ数を有する経路を、経路２として算出する。
【００４６】
即ち、経路全体の伝送レートは、当該経路内の最も伝送レートの低いリンクに引きずれられてしまう。したがって、リンク３およびリンク４から構成される経路１の伝送レートは、図８（Ｂ）に示す状態の場合、１０Mbpsとなる。一方、リンク１およびリンク２から構成される経路２では、伝送レートは１５Mbpsとなる。よって、最高の伝送レートを実現する最小ホップ数の経路は経路２となる。なお、図８の例では、上りと下りの伝送レートが同じであるが、異なる場合は、通信方向に応じて、最適な経路を選択するようにしてもよい。
【００４７】
図７に戻り、経路誘導部２３は、基地局１に接続パスを経路２に切り替えるようハンドオーバ要求を行う（ステップＳ２０５）。要求に応答して、基地局１はハンドオーバ処理を開始し、移動端末３−１と基地局１との接続パスを経路２に切り替える処理を実行する。このように、リンク４を、単により高い伝送レートを有するリンク５に切り替えるのではなく、全体として最も高い伝送レートを実現する経路に切り替えることが可能となる。
【００４８】
なお、ハンドオーバ処理は、移動端末３−１に要求して、移動端末３−１主導で行ってもよい。あるいは、経路誘導型中継局１２が主導で行ってもよい。また、ハンドオーバ処理の終了後、リンク情報収集部２１は、ステップＳ２０２の処理において収集したリンク情報をリンク情報データベースに記憶する（ステップＳ２０６）。そして、ステップＳ２０１の処理に戻る。次回のループにおけるステップＳ２０３の処理では、この記憶されたリンク情報と新たに収集したリンク情報が比較され、経路の状態に変化があった否かが判定される。
【００４９】
以上、本発明の実施の形態について説明したが、本発明は、上述した実施形態に限定されず、種々の変形および応用が可能である。また、上述した実施形態の各構成要素を自由に組み合わせることも可能である。
【００５０】
上記実施の形態では、経路選択部２２は、経路誘導型中継局１２が経路の誘導を行う移動端末３について、基地局１との間のリンク情報のみに基づいて経路の選択を行う構成とした。これに限定されるものではなく、例えば、各移動端末３と、各移動端末３を利用する利用者と、各利用者に対応するポリシ情報の３つの項目を有する１または複数のレコードからなるポリシ情報テーブルをリンク情報データベース２４に記憶してもよい。この場合、ポリシ情報は利用者が予め設定するようにしてもよいし、利用者の移動端末３の状態に応じて事業者が設定するようにしてもよい。経路選択部２２は、リンク情報のほかに、当該ポリシ情報に基づいて経路を選択するようにしてもよい。
【００５１】
ポリシ情報としては、例えば、図９に示すように、利用者のスループットを最大限向上させることを重視するということを示す「スループット重視」や、バッテリ残量が少ないときなどに近隣で電波状況が良い基地局１または中継局２と接続して電力消費を抑制することを重視するということを示す「省電力重視」などを設定可能とすればよい。例えば、「省電力重視」が設定される場合、経路選択部２２は、移動端末３から近隣で電波状況が良い基地局１または中継局２へ至る経路が適した経路として選択される。これにより、経路誘導型中継局１２は、移動端末３の利用者の希望に適した経路を選択することが可能となる。
【００５２】
また、上記実施の形態では、移動端末３と基地局１との間の接続を確立する際に、順次最も高い受信強度を得られるノードを接続先として選択する構成とした。これに限定されるものではなく、例えば、リンク情報収集部２１は、経路誘導中継局１２と通信可能な移動端末３の全てについて、接続確立後のみでなく定期的に移動端末３と基地局１との間の経路のリンク情報を収集するようにし、経路選択部２２は、ステップＳ２０４と同様に移動端末３に適した経路を選択するようにしてもよい。そして、経路誘導部２３は、選択された経路で接続がされるよう移動端末３を誘導してもよい。これにより、接続を確立する際にも、最適な経路を選択することが可能である。
【００５３】
また、上記実施の形態では、リンク情報として伝送レートを用いる場合について説明したが、その他のパラメータをリンク情報として用いるようにしてもよい。
【００５４】
なお、本経路誘導型中継局は、ＷｉＭＡＸのほか、３ＧＰＰ（Third Generation Partnership Project）／３ＧＰＰ２（Third Generation Partnership Project 2）、第４世代移動通信システム（IMT-Advanced）などのモバイルネットワークにおいて無線マルチホップ通信方式を利用したシステムにも適用可能である。
【００５５】
経路誘導型中継局１２は、専用のハードウェアとして実現可能であるほか、例えば、無線インタフェースを備える一般的なコンピュータに、経路誘導型中継局１２の制御プログラムを実行させることで実現してもよい。経路誘導型中継局１２の制御プログラムは、予めコンピュータの記憶部等に記憶しておいてもよいし、あるいは、フレキシブルディスク、ＣＤ−ＲＯＭ（Compact Disk Read-Only Memory）、ＤＶＤ（Digital Versatile Disk）、ＭＯ（Magneto-Optical disk）、ＵＳＢメモリ等に記憶させてプログラムを配付してもよい。後者の場合は、利用する記憶媒体のいずれかを読み取る装置をコンピュータに備えるようにして、当該プログラムをコンピュータに読み込ませることにより、上述の処理動作を実行する装置を構成してもよい。
【００５６】
上記の実施形態の一部または全部は、以下の付記のようにも記載されうるが、以下には限られない。
【００５７】
（付記１）
基地局と移動端末とが、直接、あるいは、１つ以上の中継局を介して接続されている、無線マルチホップネットワークにおける当該中継局であって、
所定の手順で前記基地局と前記移動端末との間に接続を確立するよう前記移動端末を誘導する経路誘導部と、
前記中継局の通信可能な前記移動端末と、前記基地局との間の経路を構成する各リンクについて、当該リンクの属性情報であるリンク情報を、当該移動端末と、当該基地局との接続が確立された時点から、所定のタイミングで収集するリンク情報収集部と、
前記収集されたリンク情報が、前記接続が確立された時点に収集されたリンク情報と異なる場合、前記収集されたリンク情報に基づいて、前記基地局と前記移動端末とを結ぶ経路のうちから１つを選択する経路選択部と、
を備え、
前記経路誘導部は、前記選択された経路に前記確立された接続を切り替えるよう、前記移動端末を誘導する、
ことを特徴とする中継局。
【００５８】
（付記２）
前記リンク情報収集部は、接続が確立される以前についても所定のタイミングでリンク情報を収集し、
前記経路誘導部は、前記収集されたリンク情報に基づいて、前記基地局と前記移動端末との間に接続を確立するよう前記移動端末を誘導する、
ことを特徴とする付記１に記載の中継局。
【００５９】
（付記３）
前記中継局の前記経路選択部は、前記リンク情報と、予め設定された利用者の要望と、の少なくともいずれかに基づいて、前記基地局と前記移動端末とを結ぶ経路のうちから１つを選択する、
ことを特徴とする付記１に記載の中継局。
【００６０】
（付記４）
前記中継局の前記経路誘導部は、主導でハンドオーバを行うか、または、前記基地局または前記移動端末にハンドオーバを要求する、
ことを特徴とする付記１または２に記載の中継局。
【００６１】
（付記５）
基地局と移動端末とが、直接、あるいは、１つ以上の中継局を介して接続されている、無線マルチホップネットワークにおける当該中継局による経路誘導方法であって、
前記中継局は、経路誘導部と、リンク情報収集部と、経路選択部と、を備え、
前記経路誘導部が、所定の手順で前記基地局と前記移動端末との間に接続を確立するよう前記移動端末を誘導する経路誘導ステップと、
前記リンク情報収集部が、前記中継局の通信可能な前記移動端末と、前記基地局との間の経路を構成する各リンクについて、当該リンクの属性情報であるリンク情報を、接続が確立された時点から、所定のタイミングで収集するリンク情報収集ステップと、
前記経路選択部が、前記収集されたリンク情報が、前記接続が確立された時点に収集されたリンク情報と異なる場合、前記収集されたリンク情報に基づいて、前記基地局と前記移動端末とを結ぶ経路のうちから１つを選択する経路選択ステップと、
前記経路誘導部が、前記選択された経路に前記確立された接続を切り替えるよう、前記移動端末を誘導するステップと、
を備える、
ことを特徴とする経路誘導方法。
【００６２】
（付記６）
基地局と移動端末とが、直接、あるいは、１つ以上の中継局を介して接続されている、無線マルチホップネットワークにおける当該中継局として、コンピュータを機能させるプログラムであって、
前記コンピュータを、
前記移動端末からの要求に応じて、前記基地局と前記移動端末との間に接続を確立するよう前記移動端末を誘導する経路誘導部と、
前記中継局の通信可能な前記移動端末と、前記基地局との間の経路を構成する各リンクについて、当該リンクの属性情報であるリンク情報を、接続が確立された時点から、所定のタイミングで収集するリンク情報収集部と、
前記収集されたリンク情報が、前記接続が確立された時点に収集されたリンク情報と異なる場合、前記収集されたリンク情報に基づいて、前記基地局と前記移動端末とを結ぶ経路のうちから１つを選択する経路選択部と、
して機能させ、
前記経路誘導部は、前記選択された経路に前記確立された接続を切り替えるよう、前記移動端末を誘導する、
ことを特徴とするプログラム。
【符号の説明】
【００６３】
１    基地局
２    中継局
３    移動端末
１２  経路誘導型中継局
２１  リンク情報収集部
２２  経路選択部
２３  経路誘導部
２４  リンク情報データベース
【図１】
0005799716.tif 000002
【図２】
0005799716.tif 000003
【図３】
0005799716.tif 000004
【図４】
0005799716.tif 000005
【図５】
0005799716.tif 000006
【図６】
0005799716.tif 000007
【図７】
0005799716.tif 000008
【図８】
0005799716.tif 000009
【図９】
0005799716.tif 000010